(57)【要約】【課題】改善された荷電粒子ビーム装置および荷電粒子ビーム装置を動作させるための改善された方法を提供すること。【解決手段】荷電粒子ビーム装置のための荷電粒子ビームダンプが記載される。ビームダンプは、一次荷電粒子ビームレットを通過させるための穴のあいた環帯を画定する内周壁を有する環状本体であって、外周壁および底部壁をさらに有する、環状本体と、内周側および外周側を有する、環状本体の一部上方に設けられた環状電極であって、内周側が環状本体の内周壁の半径の外側にある、環状電極と、を含む。【選択図】図７Ｂ
2020024912.tif 000002
【特許請求の範囲】
【請求項１】
一次荷電粒子ビームレットを通過させるための開口部を画定する内周壁を有する環状本体であって、外周壁および底部壁をさらに有する、環状本体と、
内周側および外周側を有する、前記環状本体の一部上方に設けられた環状電極であって、前記内周側が前記環状本体の前記内周壁の半径の外側にある、環状電極と、
を備える荷電粒子ビーム装置のための荷電粒子ビームダンプ。
【請求項２】
前記底部壁が前記環状本体の底部側で前記環状本体を閉じ、および／または半径方向外向きに傾斜した傾斜面を有する、請求項１に記載の荷電粒子ビームダンプ。
【請求項３】
前記環状電極の前記外周側が前記環状本体の前記外周壁の前記半径まで、または前記外周壁の前記半径を越えて延在する、請求項１または２に記載の荷電粒子ビームダンプ。
【請求項４】
前記環状本体の内部に、かつ前記環状電極の完全にまたは部分的に下方に設けられた電極であって、特に、円筒形もしくはリング状であり、および／または前記電極に電位を供給する電源に接続されている、電極
をさらに備える、請求項１から３までのいずれか１項に記載の荷電粒子ビームダンプ。
【請求項５】
前記環状本体の内面が後方散乱された粒子または二次粒子の生成を低減させる材料でコーティングされている、請求項１から４までのいずれか１項に記載の荷電粒子ビームダンプ。
【請求項６】
前記内周壁の壁厚さが０．５ｍｍ以下であり、および／または前記環状本体が、リング形、円形、楕円形、多角形、および六角形のグループから選択された形状を有する、請求項１から５までのいずれか１項に記載の荷電粒子ビームダンプ。
【請求項７】
請求項１から６までのいずれか１項に記載の荷電粒子ビームダンプ
を備える、マルチビーム荷電粒子ビーム装置。
【請求項８】
一次荷電粒子ビームを放出するように構成された荷電粒子源と、
前記一次荷電粒子ビームの少なくとも第１のビームレットおよび第２のビームレットを生成するように構成された開口部を有する開孔装置と、
ブランキング装置であって、
少なくとも前記第１のビームレット用の第１のブランキング偏向器および前記第２のビームレット用の第２のブランキング偏向器、ならびに
前記第１のブランキング偏向器を部分的にまたは完全に取り囲む第１のシールド要素を有するシールドアセンブリを備える、ブランキング装置と、
をさらに備える、請求項７に記載のマルチビーム荷電粒子ビーム装置。
【請求項９】
前記ブランキング装置が前記荷電粒子ビームダンプの上流にあり、特に、前記荷電粒子ビームダンプの環状開口部内への前記ブランキング装置の偏向角が３０ｍｒａｄ以下である、請求項８に記載のマルチビーム荷電粒子ビーム装置。
【請求項１０】
前記少なくとも第１のブランキング偏向器が前記第１のビームレットを前記第２のビームレットから分割するための多重極装置を含む、請求項７から９までのいずれか１項に記載のマルチビーム荷電粒子ビーム装置。
【請求項１１】
前記第１のビームレットおよび前記第２のビームレットに別々に作用するように構成された多重極装置をさらに備える、
請求項７から１０までのいずれか１項に記載のマルチビーム荷電粒子ビーム装置。
【請求項１２】
前記第１のビームレットによって生成された第１の信号ビームレットを検出するための第１のセンサと、前記第２のビームレットによって生成された第２の信号ビームレットを検出するための第２のセンサと、を有する検出器アセンブリを
さらに備える、請求項７から１１までのいずれか１項に記載のマルチビーム荷電粒子ビーム装置。
【請求項１３】
一次荷電粒子ビームを生成するステップと、
前記一次荷電粒子ビームから第１のビームレットを、および前記一次荷電粒子ビームから第２のビームレットを生成するステップと、
試料上で前記第１のビームレットおよび前記第２のビームレットを走査するステップと、
第１のブランキング偏向器の第１の偏向場を用いて前記第１のビームレットを荷電粒子ビームダンプの環状本体に誘導するステップと、
を含む荷電粒子ビーム装置を動作させるための方法。
【請求項１４】
前記第２のビームレットへのクロストークを低減させるために前記第１のブランキング偏向器の前記第１の偏向場をシールドするステップと、
前記第１のビームレットの、または前記第１のビームレットによって生成された荷電粒子を前記環状本体に設けられた電極に向かって引きつけるステップと、
のうちの少なくとも１つをさらに含む、請求項１３に記載の方法。
【請求項１５】
内周側および外周側を有する、前記環状本体の一部上方に設けられた環状電極であって、前記内周側が前記環状本体の前記内周壁の前記半径の外側にある、環状電極、
半径方向外向きに傾斜している傾斜面を有する前記環状本体の底部壁の傾斜面、および
後方散乱粒子または二次粒子の生成を低減させる材料による前記環状本体の内面上のコーティング、
のうちの少なくとも１つによって前記第１のビームレットの、または前記第１のビームレットによって生成された荷電粒子をトラップするステップをさらに含む、
請求項１３または１４に記載の方法。
【発明の詳細な説明】
【技術分野】
【０００１】
本開示の実施形態は、荷電粒子ビーム装置、荷電粒子ビーム装置のためのマルチビームブランカ、特に、マルチビーム単一カラム荷電粒子ビーム装置のビームレットごとのマルチビームブランカ、および荷電粒子ビーム装置を動作させるための方法に関する。本開示の実施形態は、詳細には、電子ビーム検査（ＥＢＩ）に関する。
【背景技術】
【０００２】
荷電粒子ビーム装置は、電子ビーム検査（ＥＢＩ）、製造中の半導体デバイスの限界寸法（ＣＤ）測定、製造中の半導体デバイスの欠陥レビュー（ＤＲ）、リソグラフィ用の露光システム、検出装置、および試験システムを含むが、これらに限定されない複数の産業分野において多くの機能を有する。したがって、マイクロメートルおよびナノメートルスケールの範囲での試料の構造化、試験、および検査に対して高い需要がある。マイクロメートルおよびナノメートルスケールのプロセス制御、検査、または構造化は、荷電粒子ビーム、例えば、電子顕微鏡などの荷電粒子ビーム装置において生成され集束される電子ビームを用いて行うことができる。荷電粒子ビームは、例えば光子ビームと比較して、波長が短いため、優れた空間分解能を提供する。
【０００３】
高スループットの電子ビーム検査（ＥＢＩ）システムは、荷電粒子ビーム装置の単一のカラム内部で複数の一次荷電粒子ビームを生成し、集束させ、走査することができる電子顕微鏡などのマルチビーム荷電粒子ビーム装置を利用することができる。サンプルは、集束させた一次荷電粒子ビームまたはビームレットのアレイによって走査され得、これによって複数の信号荷電粒子ビームが生成される。個々の信号荷電粒子ビームは、検出素子上にマッピングされ得る。
【０００４】
高分解能での単一ビーム電子検査のスループットは、限界に達している。解決策は、複数の電子ビームによって提供することができる。一般に、異なる手法があり、すなわち複数の単一ビームカラム、複数の荷電粒子ビームレットを有する単一のカラム、複数の荷電粒子ビームレットを有する複数のカラムを設けることである。
【０００５】
荷電粒子検査システムは、サンプルまたは試料上の非導電性領域を帯電させる傾向がある。非導電性領域の帯電は、周囲の導電性領域に対するイメージング特性の画像劣化を引き起こす可能性がある。さらに、敏感な領域が電子ビーム照射によって損傷を受ける可能性がある。
【０００６】
上記を考慮して、当技術分野における問題の少なくとも一部を克服する、改善された荷電粒子ビーム装置および荷電粒子ビーム装置を動作させるための改善された方法が有益である。
【発明の概要】
【発明が解決しようとする課題】
【０００７】
上記に照らして、荷電粒子ビーム装置、荷電粒子ビーム装置のためのマルチビーム用ブランカ、および荷電粒子ビーム装置を動作させるための方法が提供される。本開示のさらなる態様、利点、および特徴は、特許請求の範囲、説明、および添付の図面から明らかである。
【課題を解決するための手段】
【０００８】
本開示の一態様によると、荷電粒子ビーム装置のための荷電粒子ビームダンプが提供される。ビームダンプは、一次荷電粒子ビームレットを通過させるための開口部を画定する内周壁を有する環状本体であって、外周壁および底部壁をさらに有する、環状本体と、内周側および外周側を有する、環状本体の一部上方に設けられた環状電極であって、内周側が環状本体の内周壁の半径の外側にある、環状電極と、を含む。
【０００９】
本開示の別の態様によると、マルチビーム荷電粒子ビーム装置が提供される。マルチビーム荷電粒子ビーム装置は、本開示の実施形態による荷電粒子ビームダンプを含む。例えば、ビームダンプは、一次荷電粒子ビームレットを通過させるための開口部を画定する内周壁を有する環状本体であって、外周壁および底部壁をさらに有する、環状本体と、内周側および外周側を有する、環状本体の一部上方に設けられた環状電極であって、内周側が環状本体の内周壁の半径の外側にある、環状電極と、を含む。
【００１０】
本開示の別の態様によると、荷電粒子ビーム装置を動作させるための方法が提供される。本方法は、一次荷電粒子ビームを生成するステップと、一次荷電粒子ビームから第１のビームレットを、および一次荷電粒子ビームから第２のビームレットを生成するステップと、試料上で第１のビームレットおよび第２のビームレットを走査するステップと、第１のブランキング偏向器の第１の偏向場を用いて第１のビームレットを荷電粒子ビームダンプの環状本体に誘導するステップと、を含む。
【００１１】
本開示の上記の特徴を詳細に理解することができるように、上で簡単に要約された本開示のより詳細な説明が実施形態を参照して得ることができる。添付の図面は、本開示の実施形態に関するものであり、以下に記載される。
【図面の簡単な説明】
【００１２】
【図１Ａ】本明細書に記載された実施形態による荷電粒子ビーム装置の概略図である。
【図１Ｂ】本明細書に記載された実施形態によるさらなる荷電粒子ビーム装置の概略図である。
【図２】本明細書に記載された実施形態によるシールドアセンブリを有するブランキング装置の概略図であり、ビームスプリッタおよびブランキング装置が設けられている。
【図３Ａ】本明細書に記載された実施形態によるシールドアセンブリを有するブランキング装置の概略図であり、ビームスプリッタおよびブランキング装置のさらなる構成が提供されている。
【図３Ｂ】本明細書に記載された実施形態によるシールドアセンブリを有するブランキング装置の概略図であり、ビームスプリッタおよびブランキング装置のさらなる構成が提供されている。
【図３Ｃ】本明細書に記載された実施形態によるシールドアセンブリを有するブランキング装置の概略図であり、ブランキング装置のさらなる構成が提供されている。
【図４】本明細書に記載された実施形態によるブランキング偏向器の概略図である。
【図５Ａ】本明細書に記載された実施形態によるブランキング偏向器などの静電多重極装置の概略図である。
【図５Ｂ】本明細書に記載された実施形態によるブランキング偏向器などの静電多重極装置の概略図である。
【図６】本明細書に記載された実施形態による荷電粒子ビーム装置を動作させるための方法の流れ図である。
【図７Ａ】本開示の実施形態によるマルチビーム荷電粒子ビーム装置と共に使用することができる本開示の実施形態によるビームダンプの概略図である。
【図７Ｂ】本開示の実施形態によるマルチビーム荷電粒子ビーム装置と共に使用することができる本開示の実施形態によるビームダンプの概略図である。
【発明を実施するための形態】
【００１３】
ここで、本開示の様々な実施形態を詳細に参照し、それらの１つまたは複数の例を図に示す。図面の以下の説明の範囲内で、同じ参考番号は、同じ構成要素を指す。個々の実施形態に関する相違点のみを説明する。それぞれの例は、本開示の説明として提供され、本開示を限定することを意味しない。さらに、一実施形態の一部として図示または説明される特徴は、さらなる実施形態をさらに生み出すために、他の実施形態上でまたは他の実施形態と併せて使用することができる。説明は、そのような変更および変形を含むことが意図されている。
【００１４】
本出願の保護の範囲を限定することなく、以下では、荷電粒子ビーム装置またはその構成要素は、典型的には、荷電粒子として電子を使用する荷電粒子ビーム装置と呼ばれる。しかしながら、他のタイプの一次荷電粒子、例えば、イオンを使用してもよい。荷電粒子ビーム（「一次荷電粒子ビーム」とも呼ばれる）によって試料またはサンプルを照射すると、二次電子（ＳＥ）などの信号荷電粒子が生成され、この信号荷電粒子が表面形態、サンプルの化学的成分、および／または静電電位などの情報を運ぶことができる。信号電子は、二次電子、後方散乱電子、およびオージェ電子のうちの少なくとも１つを含むことができる。信号荷電粒子は、収集され、センサ、例えば、シンチレータ、ピンダイオードなどに誘導され得る。
【００１５】
本明細書に記載された実施形態によると、サンプルまたは試料上の非導電性領域の帯電は、電子ビームイメージング装置、例えば、電子ビーム検査装置に提供することができる。一次荷電粒子ビームまたはビームレットを個々にブランキングすることができるマルチビームブランカが設けられている。ビームブランキング装置は、電子ビームをブランキングおよびアンブランキングすることができる。各ビームレットは、スループットを最大限にするために個々に制御可能であってもよい。例えば、リソグラフィ用のビームブランカと比較して、本装置は、高速であるべきであり、すなわち、マイクロ秒の範囲で、すなわち単一の線を走査する時間スケールよりも短い範囲でビームをブランキングすべきである。さらに、１つのビームレットのブランキングは、他のビームレットによって得られる画像に影響を与えるべきではなく、すなわち、ビームブランキング要素間にクロストークがあってはならない。
【００１６】
本開示の実施形態によると、放出源、すなわち単一の放出源を有する荷電粒子ビームカラムが設けられている。複数の荷電粒子ビームレット、すなわち一次荷電粒子ビームレットは、荷電粒子ビームカラム、例えば複数のビームレットを有する単一のカラム内部で生成される。複数の荷電粒子ビームレットは、試料上で走査される。特に、絶縁体と検査される領域との間の境界の領域を走査する際に、複数のビームレットのうちの１つは、絶縁体上で走査され得、複数のビームレットのうちのもう一つは、検査される領域上で走査される。絶縁体、例えば強力な絶縁体上を走査すると、試料の帯電が発生することがある。試料の帯電は、結果として提供される画像に帯電アーチファクトをもたらす可能性がある。したがって、絶縁体上を走査するビームレットの１つまたは複数をブランキングすることがある。他のビームの走査は、行われてもよい。
【００１７】
一実施形態によると、マルチビーム荷電粒子ビーム装置が提供される。本装置は、一次荷電粒子ビームを放出するように構成された荷電粒子源と、一次荷電粒子ビームの少なくとも第１のビームレットおよび第２のビームレットを生成するように構成された開口部を有する開孔装置と、ブランキング装置であって、少なくとも第１のビームレット用の第１のブランキング偏向器および第２のビームレット用の第２のブランキング偏向器、ならびに第１のブランキング偏向器を少なくとも部分的に取り囲む第１のシールド要素を有するシールドアセンブリを備える、ブランキング装置と、を含む。シールドアセンブリは、第１のビームレット用の第１のブランキング偏向器から、第２のビームレット、すなわち第１のビームレットとは異なるビームレットへのクロストークを低減させるように構成されている。
【００１８】
図１Ａは、本明細書に記載された実施形態による荷電粒子ビーム装置１００の概略図を示す。荷電粒子ビーム装置１００は、走査電子顕微鏡（ＳＥＭ）などの電子顕微鏡であってもよい。荷電粒子ビーム装置１００は、カラムハウジング１０１を有するカラムを含む。
【００１９】
荷電粒子ビーム装置１００は、（一次）荷電粒子ビーム１４を放出するように構成された荷電粒子源２０と、コンデンサレンズ装置１１０と、一次荷電粒子ビーム１４の２つ以上のビームレット１４Ａ、１４Ｂ、１４Ｃを生成するように構成された開孔装置１２０と、２つ以上のビームレット１４Ａ、１４Ｂ、１４Ｃに作用するように、特に、第１のビームレットおよび第２のビームレットに別々に作用するように構成された多重極装置１３０と、を含む。開孔装置１２０は、複数の開口部１２２を含む。多重極装置１３０は、２つ以上のビームレットに作用するように構成され得る。コンデンサレンズ装置１１０は、磁気コンデンサレンズもしくは静電コンデンサレンズ、または複合磁気静電マグネットコンデンサレンズを含むことができる。ビームレットの倍率および／または電流は、コンデンサレンズ装置によって制御することができる。
【００２０】
本明細書に記載された他の実施形態と組み合わせることができる一部の実施形態によると、コンデンサレンズ装置は、単一のコンデンサレンズまたは２つ以上のコンデンサレンズなどの、１つまたは複数のコンデンサレンズを含む。コンデンサレンズ装置は、交差を有するビーム経路および／または交差のないビーム経路を提供するように構成され得る。コンデンサレンズ装置１１０は、開孔装置１２０の焦点距離を変えることおよび照射角度を変えることのうちの少なくとも１つための調整可能なレンズ励起を有することができる。例えば、コンデンサレンズ装置は、焦点距離を変化させるための制御可能なレンズ励起を備えることができ、可変の放出源拡大および／または縮小を可能にする。加えてまたは代替として、コンデンサレンズ装置は、開孔装置および／または多重極装置（例えば、偏向器アレイ）の照射角度を制御するための制御可能なレンズ励起を備えることができる。一部の実施態様では、コンデンサレンズ装置１１０は、開孔装置１２０の本質的に平行な照射を提供することができる。
【００２１】
開孔アレイ１２０は、荷電粒子源によって放出された一次ビームを一次ビームレットに分離する。開孔アレイは、ビームスプリッタの一部と考えることができ、例えば、接地電位にあってもよい。ビームスプリッタは、「メイン」ビームを複数のビームレットに分離する。多重極装置１３０は、ビームレットを対物レンズのコマ収差のない平面に向けることができる。開孔装置１２０の開口部、したがってビームレットは、アレイ状またはリング状に配置され得る。
【００２２】
本明細書に記載された他の実施形態と組み合わせることができる一部の実施形態によると、単一の荷電粒子源を設けることができる。荷電粒子源２０は、高輝度のガン（ｇｕｎ）であってもよい。例えば、荷電粒子源２０は、冷電界エミッタ（ＣＦＥ）、ショットキーエミッタ、ＴＦＥ、または別の高輝度電子ビーム源を含むグループから選択されてもよい。放出源は、−３０ｋＶの電位にあってもよく、放出された電子は、抽出器電極、および接地に保持されたアノードによって３０ｋｅＶのエネルギーに加速される。放出源は、例えば３０ｋＶの抽出電圧で約４０ｍｒａｄの角度までの均一な照射を提供するように構成され得る。
【００２３】
コンデンサレンズ装置１１０は、電子ビームなどの（一次）荷電粒子ビーム１４によって開孔装置１２０を照射する。結果として生じる２つ以上のビームレット１４Ａ、１４Ｂ、および１４Ｃは、２つ以上のビームレット１４Ａ、１４Ｂ、および１４Ｃが異なる放出源から来るように見えるように、多重極装置１３０の偏向器６Ａ、６Ｂ、および６Ｃを用いて偏向させることができる。例えば、ビームレットの電子は、光軸４に垂直な荷電粒子源２０の平面２１内の異なる位置から放出されているように見える。図１Ａに示すように、放出源によって供給される電子は、仮想放出源から来るように見える。
【００２４】
本明細書に記載された他の実施形態と組み合わせることができる一部の実施形態によると、ビーム分離器１１４、すなわち一次ビームレットを信号ビームレットから分離する分離器は、磁気偏向器または磁気偏向器と静電偏向器との組合せ、例えば、ウィーンフィルタによって提供することができる。走査偏向器１２は、サンプル８の表面上でビームまたはビームレットを走査することができる。一次ビームレット、すなわち２つ以上のビームレットは、共通の対物レンズを使用して、試料またはサンプル８上に集束させる。一次ビームレットは、対物レンズ１０の１つの開口部を通過することができる。サンプル８は、サンプルステージ７上に提供され、サンプルステージ７は、光軸４に垂直な少なくとも１つの方向にサンプル８を移動させるように構成することができる。偏向器６Ａ〜６Ｃ、例えば、静電多重極装置と対物レンズ１０との組合せ効果により、それぞれがビームレットの１つに対応する複数のスポット（ビーム源２０の像）が試料またはサンプル８上に生成される。
【００２５】
本明細書で言及されるような「サンプル」または「試料」は、半導体ウエハ、半導体加工物、およびメモリディスクなどの他の加工物などを含むが、これらに限定されない。本開示の実施形態は、材料が堆積される任意の加工物、または構造化される任意の加工物に適用することができる。電子ビームによるサンプル８の照射の際に、二次電子（ＳＥ）などの信号荷電粒子が生成され、この信号荷電粒子がサンプルの表面形態、化学的成分、および／または静電電位などに関する情報を運ぶことができる。信号荷電粒子は、収集され、センサ、例えば、シンチレータ、ピンダイオードなどであってもよい検出器装置に誘導され得る。
【００２６】
本明細書に記載された他の実施形態と組み合わせることができる一部の実施形態によると、対物レンズ１０は、特に、カラム内のエネルギーをカラム内の高エネルギーからより低いランディングエネルギーに低減させる、静電レンズを有する静電磁気複合レンズとすることができる。カラムエネルギーからランディングエネルギーへのエネルギー低減は、少なくとも１０倍、例えば、少なくとも３０倍であってもよい。
【００２７】
一部の実施態様では、サンプル８に供給される電位を含む減速電界を提供することができる。本明細書に記載された他の実施形態と組み合わせることができるさらなる実施態様によると、カラムが接地電位にあり、荷電粒子源２０およびサンプル８が高電位にある構成を提供することができる。例えば、カラム構成要素の大部分またはすべてを接地電位で提供することができる。
【００２８】
例えば図１Ａに示すように、共通の走査偏向器を用いて、複数のまたはすべての一次ビームレットをサンプル８の表面を横切って走査することができる。本明細書に記載された他の実施形態と組み合わせることができる一部の実施形態によると、走査偏向器１２は、対物レンズ１０内にあってもよく、または対物レンズ１０の近くにあってもよい。本明細書に記載された他の実施形態と組み合わせることができる一部の実施形態によると、走査偏向器１２は、静電および／または磁気八重極であってもよい。
【００２９】
図１Ａに示す荷電粒子ビーム装置１００は、信号電子光学部品を含む。サンプル８から放出されたまたは後方散乱された粒子は、サンプル８に関する情報を運ぶ信号ビームレットを形成する。情報は、サンプル８の表面形態、化学的成分、静電電位などに関する情報を含むことができる。信号ビームレットは、ビーム分離器１１４を用いて、一次ビームレットから分離される。ビームベンダ（図示せず）が設けられてもよい。ビーム分離器は、例えば、少なくとも１つの磁気偏向器、ウィーンフィルタ、または任意の他の装置を含むことができ、ここで電子は、例えば、速度依存性のローレンツ力のために、一次ビームから離れる方向に向けられる。
【００３０】
図１Ｂは、一次ビームレットと信号ビームレットとの間のビーム分離を含むカラムの別のビーム経路を示す。ビーム分離器１１４は、磁気偏向器として設けられてもよい。さらなる磁気偏向器１１５が設けられている。２つの磁気偏向器は、ビームレットを反対方向に偏向させる。ビームレットは、第１の磁気偏向器１１５によって傾けられ、第２の磁気偏向器によって対物レンズの光軸４と整列することができる（例えば、図１Ａおよび図１Ｂでは垂直）。信号ビームレットは、対物レンズを通って、信号ビームレットを一次ビームレットから分離するビーム分離器１１４まで戻る。
【００３１】
信号ビームレットは、集束レンズ１７２によって集束させることができる。集束レンズ１７２は、センサ、シンチレータ、ピンダイオードなどの、検出器アセンブリ１７０の検知素子上に信号ビームレットを集束させる。例えば、検出器アセンブリは、第１のビームレットによって生成された第１の信号ビームレットを検出するための第１のセンサ、および第２のビームレットによって生成された第２の信号ビームレットを検出するための第２のセンサを含むことができる。他の実施形態によると、二次ビームレットの集束は、拡大および回転の較正を可能にするレンズシステムによって実行されてもよい。一部の実施形態によると、１つまたは複数の偏向器１７４、１７６が信号ビームレットの経路に沿って設けられている。
【００３２】
本明細書に記載された実施形態によると、マルチビームレットカラムは、２つ以上、または５つ以上、または８つ以上、一部の例によると、最大２００などのいくつかのビームを含む。マルチビームレットカラムは、マルチビームレットカラムをマルチカラムシステムに配列することもできるように構成されている。
【００３３】
本明細書に記載された実施形態によると、試料、例えばウエハ上のピッチ、すなわち、試料上の２つの一次ビームレット間の最小距離は、１０μｍ以上、例えば４０μｍ〜１００μｍとすることができる。したがって、実施形態は、１つの電子光学カラム内に妥当な数の一次電子ビームレットを生成するマルチビーム装置を提供し、カラムを通過する際のビームレット間のクロストークを低減させる。
【００３４】
本開示の実施形態によると、マルチビームブランカが提供される。図１Ａは、ブランキング装置１５０を示す。ブランキング装置１５０は、個々のビームレットをブランキングすることができる。例えば、図１Ａは、ビームレット１４Ａ、１４Ｂ、および１４Ｃを示し、ビームレット１４Ｂは、ブランキングされており、他のビームレットは、ブランキングされていない。図１Ａは、開孔装置１２０の下流の、例えば直ぐ後のブランキング装置１５０を示す。ブランキング装置１５０は、複数のブランカを含む。図１Ａは、ブランカ１５Ａ、１５Ｂ、および１５Ｃを例示的に示す。例えば、ブランカは、アレイまたはリング上に配置されてもよい。アレイ形態またはリング形態は、開孔装置１２０の開口部１２２のアレイ形態またはリング形態（または別の形態）に対応する。ブランカは、各ビームレットをオンおよびオフにすることができる。ビームがブランキングされる場合、ビームは、ビームストップ１６０に向かって半径方向外向きに偏向され得る。ビームストップは、１つまたは複数のビームダンプを有することができる。
【００３５】
本開示の実施形態によると、ブランキング装置は、シールドアセンブリ１５５を含む。シールドアセンブリは、クロストークを低減または回避する。１つのビームのブランカは、別のビームレットへの、または別のビームレット、例えば、隣接するビームレットの偏向への影響を低減させ、または実質的に影響を及ぼさない（＜１０4のオーダーの低減）。本明細書に記載された実施形態によると、ブランキング装置のブランカは、高速であり、ＥＢＩシステムなどのイメージングシステムで利用されるため、ブランカによって生成される場の影響は、強く抑制される。したがって、例えば、ブランカのクロストークが著しく低減されていないリソグラフィシステムのブランキング装置は、ＥＢＩには適していない可能性がある。
【００３６】
本明細書に記載された他の実施形態と組み合わせることができる一部の実施形態によると、特に個々のビームレットブランキングによるＥＢＩマルチビームシステム用のブランキング装置は、ビームレットの高速のブランキングを提供する。例えば、ビームレットを１０μｓ以内にブランキングすることができる。例えば、ブランキング偏向器、例えば、第１のビームレット用の第１のブランキング偏向器および第２のビームレット用の第２のブランキング偏向器は、複数の配線によって、偏向器要素、例えば、電極に供給される信号を用いて制御することができる。配線は、偏向器要素に電気信号を供給する。本明細書に記載された他の実施形態と組み合わせることができる一部の実施形態によると、配線は、高導電性かつ低容量の配線とすることができる。例えば、配線と、偏向器要素、すなわち偏向器電極との組合せの容量は、１００ｐＦ以下とすることができる。配線（または導体）の抵抗は、２００オーム以下とすることができる。さらなる実施形態によると、過渡信号は、μｓ領域内にあるように限界が定められてもよい。本明細書に記載された他の実施形態と組み合わせることができる一部の実施形態によると、第１のビームレット用の第１のブランキング偏向器および／または第２のビームレット用の第２のブランキング偏向器は、低抵抗および低容量を有する配線または導体によって制御される。
【００３７】
本開示の実施形態は、マルチビーム検査カラムを提供し、ビームレットを個々にオンおよびオフにすることができる。図２に例示的に示すように、ブランキング装置１５０のマイクロブランカを提供することができる。各マイクロブランカは、ビームレットごとに静電二重極場を生成するように構成されている。作動すると、静電二重極場は、ビームレットをブランキングし、すなわち、ブランキングされたビームレットがもはやウエハに達しないように、ビームレットを一次経路から離れるようにビームダンプまたは開孔へと導く。本開示の実施形態によるシールドアセンブリを含むことにより、ブランキングされないビームレットによって生成される画像に影響を及ぼさないブランキング動作が可能になる。ブランキングされないビームレットは、元の経路にとどまる。
【００３８】
本開示の実施形態によると、および図１Ａに例示的に示すように、ブランキング装置１５０は、ビームスプリッタの長さの５倍〜１５倍（例えば、０．５＊１０＝５ｍｍなどの１０倍）以内に接近して配置されてもよい。ビームスプリッタとブランキング装置との間の距離が小さいと、位置合わせの困難さが軽減され、２つの要素間の位置合わせ偏向器をなくすことができる。
【００３９】
さらなる実施形態によると、ブランキング装置は、光軸に沿ってビームスプリッタと同じ位置に設けることができる。例えば、多重極素子を設けることができ、複数の電極がビームレット位置の周りに設けられる。電極のうちのいくつかは、ビームブランキングのために役立ち、電極のうちのいくつかは、ビーム分割、すなわち試料上の複数の荷電粒子スポットの生成または２つ以上の仮想荷電粒子源の生成のためにそれぞれ役立ち得る。本明細書に記載された他の実施形態と組み合わせることができるさらなる実施形態によると、ブランキング偏向器、例えば、第１のブランキング偏向器は、第１のビームレットを第２のビームレットから分割するための、および第１のビームレットをブランキングするための多重極装置を含む。さらなる追加のまたは代替の修正形態によると、多重極装置は、例えば、六重極場の補正のための、または非点収差の補正のための収差補正場をさらに生成するように制御され得る。
【００４０】
開孔アセンブリおよびブランキング装置を含む装置の例示的な実施形態が図２に示されている。ビームスプリッタ、例えば、開孔装置および偏向器は、第１のウエハ２０１によって提供することができる。例えば、ビームブランカの静電偏向器を含む能動部分は、ウエハ２０３によって提供することができる。ウエハ２０３は、ウエハ２０２によってビームスプリッタに接続され得て、例えば、物理的に接続され得る。例えば、ビームレットごとに１つの孔２２２を設けることができる。本明細書に記載された他の実施形態と組み合わせることができる一部の実施形態によると、第４のウエハ２０４が設けられてもよい。第４のウエハ２０４は、ビームレットごとにさらなる孔２４２を有することもできる。４つのウエハは、例えば、ウエハ当たり＜５μｍの横方向精度で正確に位置決めされ、互いに接合され得る。ウエハ２０２の孔２２２およびウエハ２０４の孔２４２は、導電性材料を含むことができ、または導電性材料から構成され得る。ウエハ２０２および２０４は、接地されてもよい。導電性材料は、ブランキングされるビームと隣接するビームとの間の静電クロストークに対するバリアとして作用することができる。
【００４１】
本明細書に記載された他の実施形態と組み合わせることができる一部の実施形態によると、ブランキング装置は、第１のウエハ上に設けられてもよく、第２の（さらなる）シールド要素などのシールド要素は、第２のウエハ上に、または第２のウエハによって設けられてもよい。第２のシールド要素および／または第３のシールド要素は、第１の孔径を有することができ、第１の孔径とは異なる第１の開孔径を有する、ビームレット、例えば、第１のビームレットのための１つまたは複数の第１の開孔をさらに含むことができる。
【００４２】
一部の実施形態によると、ウエハ２０２および／またはウエハ２０４は、アクティブなブランキング要素と同じ長さ（ウエハ厚さ）を有することができ、シリコンウエハから作られてもよい。これにより製造が容易になり得る。加えてまたは代替として、および第４のウエハ２０４について例示的に示すように、開孔２４４を設けることができる。開孔２４４は、例えば、孔２４２に追加的に設けられている。図２は、ウエハ２０４の上側（片側）の開孔２４４を示す。開孔２４４は、第１の側、第２の側、または両側に設けられてもよい。開孔は、クロストークをさらに低減させるように構成されている。本明細書に記載された他の実施形態と組み合わせることができる一部の実施形態によると、開孔は、ウエハのビーム画定開孔よりも少なくとも１．５倍大きくてもよい。
【００４３】
図２は、偏向器２１１および開孔２１４を有する第１のウエハ２０１を示す。ウエハ２０２の孔２２２およびウエハ２０４の孔２４２は、クロストークを低減させるためにシールドアセンブリ１５５のシールド要素２４５を提供する。ウエハ２０３は、ブランキング装置の下流のビームダンプに向かってビームを偏向させるためのブランキング偏向器２３１を含む。さらに、シールド要素２５５が設けられている。
【００４４】
動的電気信号と静的電気信号とを分離することは、有益である。したがって、ビームスプリッタの偏向器２１１およびブランキング装置のブランキング偏向器２３１が本開示の一部の実施形態に従って設けられてもよい。偏向器２１１上の電圧は、一定であってもよく、ブランキング偏向器を使用してビームレットをビームダンプに導くことができる。例えば、ブランカは、ビームスプリッタと比較してより強力な偏向磁場を有することができる。より強力なブランキング偏向器を有することは、ビームダンプが、例えば、ビームレットに近い領域の汚染および／または帯電を回避するために、一次ビームレットから十分遠くに位置することができるため、有益である。本明細書に記載された他の実施形態と組み合わせることができる一部の実施形態によると、ブランキング偏向器２３１のブランカ電極は、偏向器２１１の電極と比較して互いにより接近していてもよい。例えば、本明細書に記載された実施形態は、１ｍｍ以下、例えば０．５ｍｍ以下、特に０．２５ｍｍ以下のブランキング偏向器の電極間の開口部を有することができる。加えてまたは代替として、ブランキング装置は、より大きな電圧を利用してもよい。
【００４５】
本明細書に記載された他の実施形態と組み合わせることができるさらなる実施形態によると、ビームスプリッタおよびブランキング装置の構成は、図２に関して説明した例から逸脱してもよい。例えば、第２のウエハ２０２が設けられていなくてもよく、ウエハ２０１とウエハ２０３とが互いに直接接合されてもよい。加えてまたは代替として、ウエハは、取り付けられていなくてもよく（接合されていなくてもよく）、真空が隣接するウエハ間に提供されてもよい。
【００４６】
図３Ａは、本明細書に記載された他の実施形態と組み合わせることができる実施形態を示し、ブランキング装置１５０は、ビームスプリッタ３３０の上流にある。さらなるビーム制限開孔３４４を設けることができる。ビーム制限開孔は、ブランキング偏向器２３１に当たる迷走電子を低減または防止することができる。
【００４７】
本明細書に記載された実施形態によると、ビームスプリッタの偏向器およびブランキング偏向器は、ビームレットごとに設けることができる。例えば、図３Ａは、ブランキング偏向器２３１を示す。ブランキング偏向器は、下流に設けることができるビームストップまたはビームダンプに向かってビームレットを導くための二重極場を生成する電極を含む（例えば図１Ａ参照）。ビーム制限開孔３４４は、ブランキング偏向器の汚染および／または帯電を低減させるために設けられている。シールド要素２５５に孔２４２が設けられている。シールド要素２５５は、ビームレット間のクロストークを低減させる。本明細書に記載された他の実施形態と組み合わせることができる一部の実施形態によると、ブランキング偏向器は、シールド要素間に設けられており、および／またはシールド要素によって取り囲まれてもよい。例えば、ブランキング偏向器は、シールド要素に設けられた孔の中に設けることができる。様々な実施形態によると、ビームスプリッタは、例えば、荷電粒子源のエミッタ先端部が試料上に結像されている間、試料の面内でビームレットを分離することができる。言いかえれば、仮想放出源が荷電粒子源の面内に生成され得る。さらにまた、様々な実施態様によると、ビームスプリッタは、カラム内のビームレットに個々に作用する複数の多重極装置によって、ビームレットに作用するレンズによって、またはレンズと多重極装置との組合せによって提供されてもよい。例えば、レンズは、一次荷電粒子ビームレットの焦点面に配置されてもよい。一部の実施形態によると、レンズは、加速レンズであってもよい。
【００４８】
ブランキング装置の別の例を図３Ｂに関して説明することができる。ビームスプリッタの偏向器２１１およびブランキング偏向器２３１は、シールド要素２５５によって取り囲まれて設けられてもよい。上記したように、ブランキング偏向器およびビームスプリッタの偏向器は、電気的に互いに絶縁されていてもよく、および／または異なる物理的な実体を提供してもよい。さらにまた、ビームスプリッタの偏向器は、ブランキング装置の一部を形成することができる。例えば、電極は、ビームスプリッタの偏向器の一部として、かつブランキング偏向器２３１の一部として利用されてもよい。クロストークがブランキングによって生成される場合、クロストークは、多重極解析によって表現することができる。典型的には、最大の成分は、二重極または四重極（スティグメーション（ｓｔｉｇｍａｔｉｏｎ））クロストークである。これは、図３Ｂに例示的に示すような偏向器電極が八重極として設けられている場合、補正することができる。
【００４９】
図３Ｂに示すように、ブランキング装置は、ビームスプリッタの一部であってもよい。偏向器２１１は、ビーム分割のために動作させることができ、またはビームレットのブランキングのために、特にビームレットの個々のブランキングのためにブランキング偏向器２３１と一緒に作動させることができる。
【００５０】
図３Ｃに示すように、ブランキング装置は、光軸に沿ってビームスプリッタと同じ位置（同じｚ位置）にあってもよい。偏向器は、ビーム分割のために動作させることができ、またはビームレットのブランキングのために、特にビームレットの個々のブランキングのためにブランキング偏向器２３１として作動させることができる。ブランキングおよび分割のための場は、重ね合わせることができる。さらに、ｚ位置で同じ平面内に様々な位置を有する異なる偏向器が利用されてもよい。偏向器のうちのいくつかは、ブランキング偏向器として作用することができ、偏向器のうちのいくつかは、ビーム分割偏向器として作用することができる。例えば、シールド要素を有する多重極装置を設けることができる。さらなる追加のまたは代替の修正形態によると、多重極装置は、例えば、六重極場を補正するための、または非点収差を補正するための収差補正場をさらに生成するように制御され得る。
【００５１】
ブランキング偏向器２３１の電極の構成を図４に概略的に示す。図４は、ビームレットの光軸に沿った図を示す。ブランカ電極４１２は、反対の電位にバイアスされるようにコントローラに接続されてもよい。例えば、上部ブランカ電極４１２は、約＋１００Ｖの電圧を有することができ、下部ブランカ電極４１２は、約−１００Ｖの電圧を有することができる。非対称電圧分布が提供される。これは、単一電極を有するブランキング偏向器と比較して、非対称構成によりブランキングされたビームの非点収差がより少なくなるため、有益である可能性がある。したがって、ビームダンプまたはビームストップのためのサイズを小さくすることができる。さらに、正および負の電圧は、例えば、接地を基準にする単一電極と比較して、全体的な電圧を低減させる。したがって、ビームブランキングのための同様の偏向角は、アーキングの危険性を低減させる低減された絶対電圧で実現することができ、および／またはより容易な真空フィードスルーを提供する。ブランキング偏向器２３１は、調整電極４１４をさらに含むことができる。調整電極は、ブランキングまたはイメージング中にビーム調整を可能にすることがある。本明細書に記載された他の実施形態と組み合わせることができる一部の実施形態によると、ブランキング偏向器および／または調整偏向器との間に設けられた、あるいはブランキング偏向器および／または調整偏向器を支持するように設けられた絶縁体は、炭素の薄層でコーティングされてもよい。例えば、この層の厚さは、１００ｎｍ以下および／または５ｎｍ以上、特に５０ｎｍ以下とすることができる。炭素の薄層は、高抵抗層を提供し、絶縁体上の電荷蓄積の減少を可能にする。本明細書に記載された他の実施形態と組み合わせることができる一部の実施形態によると、ブランキング装置は、炭素被膜を有する絶縁体を含む。
【００５２】
本明細書に記載された他の実施形態と組み合わせることができる本開示の実施形態によると、ブランカ電極４１２は、約１２０°の円弧を形成することができる。例えば、円弧は、少なくとも１００°および／または最大で１４０°であってもよい。対応する二重極場は、六重極成分を低減させ、または全く有しない。これにより、ブランクビームのビームプロファイルのサイズをさらに小さくすることができ、ビームダンプまたはビームストップのサイズを小さくすることができる。
【００５３】
本開示の実施形態は、ブランキング偏向器を取り囲むシールド要素のうちの１つまたは複数と、ブランキング偏向器の上流および／または下流のシールド要素と、シールド開孔、すなわちシールド要素の孔と比較して縮小された開口径を有する開孔と、を有するシールドアセンブリを含む。例えば、第１のシールド要素は、第１のビームレットのブランキング偏向器を少なくとも部分的に取り囲むことができ、シールドアセンブリは、少なくとも第２のシールド要素、例えば、第２のシールド要素または第２および第３のシールド要素を第１のブランキング偏向器の上流に（および／または下流に）さらに含むことができる。
【００５４】
本明細書に記載された他の実施形態と組み合わせることができるさらなる実施形態によると、ブランキング装置は、光軸に沿って２５０μｍ以上、例えば４００μｍ以上の長さを有することができる。シールドアセンブリを有するブランキング装置の長さは、クロストークの低減をさらに改善する。
【００５５】
したがって、クロストークは、公知のブランカと比較して、少なくとも１桁小さくすることができ、０．１％未満または０．０１％未満でさえあり得る。したがって、１つのビームレットのブランキングは、隣接するビームレットに影響を及ぼさない。さらに、本明細書に示された静電偏向器は、高速である。両方の利点は、１つのカラム内で複数のビームレットを用いて試料またはサンプルのイメージングが行われる電子ビーム検査システムに特に有用である。
【００５６】
図５Ａは、本明細書に記載された実施形態において使用することができる静電多重極装置５００を示す。静電多重極装置５００は、ブランキング装置１５０の一部であってもよく、ビームレット用のブランキング偏向器２３１を提供することができる。例えば、静電多重極装置５００は、八重極装置として設けることができる。しかしながら、一部の実施形態では、多重極装置５００は、８つよりも多いまたは少ない電極を有することができる。
【００５７】
多重極装置５００は、高抵抗層５１０で少なくとも部分的にコーティングされた支持装置５０５を含む。一部の実施形態では、光軸に面する支持装置５０５の表面だけが、高抵抗層でコーティングされている。一部の実施形態では、光軸に垂直に延在することができる支持装置５０５の１つまたは複数の側面は、高抵抗材料でコーティングされている。一部の実施形態では、支持装置５０５の外面全体を高抵抗材料でコーティングすることができ、その結果、多重極装置表面上の表面電荷の蓄積を低減させ、または完全に回避することができる。
【００５８】
本明細書に記載された実施形態のために提供されてもよいさらなる実施態様によると、ブランキング偏向器は、例えば１０μｍ以下、例えば１００ｎｍ以下、例えば約２０ｎｍの厚さの炭素の薄層でコーティングされてもよい。炭素の薄層は、ブランキングのための電圧を維持することを可能にし、さらに望ましくない電荷（迷走電子からの偶発的な電流）を排出させることを可能にする高抵抗を有する。例えば、支持装置の外面は、炭素などの高抵抗材料の薄層で完全に覆われていてもよく、層厚さは、５ｎｍ〜１００ｎｍの範囲にあってもよい。あるいは、高抵抗層は、５０ｎｍ以下である。
【００５９】
本明細書に記載された他の実施形態と組み合わせることができる一部の実施形態では、支持装置５０５は、シリコンウエハおよび／または絶縁材料で作られたベースプレートを含む。一部の実施形態では、支持装置５０５は、高抵抗層で少なくとも部分的にコーティングされていてもよい絶縁材料で少なくとも部分的にコーティングされている。特に、高抵抗層は、絶縁表面上にコーティングされていてもよい。そのような構成は、個々の電気コンタクト間の所定の抵抗が高抵抗層を介して提供されることを保証することができる。
【００６０】
図５Ａに示す実施形態では、支持装置５０５は、荷電粒子ビームのための開口部を含み、少なくとも開口部の円筒形内面は、高抵抗層５１０でコーティングされている。したがって、高抵抗層５１０の主表面５４０は、光軸Ａと平行に延在し、円周方向に沿って間隙または不連続性なしに、光軸Ａを完全に取り囲むことができる。
【００６１】
本明細書に記載された他の実施形態と組み合わせることができる一部の実施形態では、開口部の円筒形内面は、光軸Ａ方向に、０．２ｍｍ超および／または５ｍｍ未満、特に、０．５ｍｍ超および／または２ｍｍ未満延在する。言いかえれば、高抵抗層５１０は、光軸と平行に、０．２ｍｍ超および／または５ｍｍ未満延在することができる。したがって、伝搬方向に本質的に均質の多重極電界は、０．２ｍｍを超える距離にわたって荷電粒子ビームに作用することができる。開口部の入り口および出口に存在することがあるフリンジ場の影響は、開口部内部に長い伝播距離を設けることによって減少させることができる。
【００６２】
図５Ａに示す静電八重極装置は、８つの電気コンタクトを含み、各電気コンタクトは、関連付けられた円周方向位置で高抵抗層５１０と接触する。円周方向位置は、４５°の一定間隔で離間されていてもよい。電気コンタクトのうちの少なくとも１つ、例えば、第１の電気コンタクト５２１および／または第２の電気コンタクト５２２は、高導電層に向かってまたは高導電層の上に半径方向に延在する導電線として設けられてもよい。
【００６３】
一部の実施形態では、電気コンタクト５２１、５２２は、支持装置５０５の少なくとも１つの側面に、例えば、開口部の入り口側に向けられた表面（図５Ｂ参照）におよび／または開口部の出口側１５４に向けられた表面（図５Ｂ参照）に設けられてもよい。側面は、前もって高抵抗材料でコーティングされていてもよい。
【００６４】
図５Ｂの断面図で見られるように、一部の実施形態では、少なくとも１つの電気コンタクトは、円筒形開口部の入り口側（上流側）で半径方向に延在する第１の導電線５５１と、対応する角度位置で円筒形開口部の出口側１５４（下流側）で半径方向に延在する第２の導電線５５３と、を含む。第１の導電線および第２の導電線は両方とも、第１の円周方向位置５３１で高抵抗層５１０と接触することができる。動作中に、第１の導電線および第２の導電線は、第１の電位Ｐ１に接続されていてもよい。開口部の両側で高抵抗層と接触する２つの導電線を第１の電気コンタクト５２１に設けることによって、高抵抗層５１０の主表面５４０は、第１の円周方向位置５３１において入り口側から出口側まで本質的に一定の電位Ｐ１に保持され得る。第２の電位Ｐ２が、第２の円周方向位置５３２で提供されてもよい。上記したように、一部の実施形態によると、第１の電位Ｐ１および第２の電位Ｐ２は、非対称であってもよい。
【００６５】
本開示の実施形態によると、荷電粒子ビームを個別にブランキングすることによって、マルチビーム荷電粒子ビーム装置に対する帯電制御を行うことができる。マルチビーム荷電粒子ビーム装置に対する個別のブランキングは、特に電子ビーム検査、すなわちウエハの検査のスループットを向上させる。
【００６６】
荷電粒子ビームレットのブランキングは、ブランキング装置、特にビームダンプと組み合わせたブランキング装置によって提供されてもよい。ビームダンプは、荷電粒子ビームレットに対するトラップを提供することができ、有益には、一次ビームレットの電子を捕捉する。さらに、一次ビームレットの脱出電子、ならびに脱出二次電子または後方散乱電子の数を減らすことによって、マルチビーム荷電粒子ビーム装置の性能が改善される。
【００６７】
一般的なビームダンプの例は、ファラデーカップを含むことができる。ファラデーカップを使用して、ファラデーカップに入る電流を測定することができる。しかしながら、ファラデーカップは、マルチビーム荷電粒子ビーム装置のためのビームダンプとして有用ではない場合がある。
【００６８】
本開示の実施形態によるマルチビーム荷電粒子ビーム装置のための荷電粒子ビームダンプは、一次荷電粒子ビームレットの侵入のための穴のあいた環帯を画定する内周壁を有する環状本体と、外周壁を有する環状本体と、底部壁と、を含む。さらに、環状本体の一部上方に設けられた環状電極が設けられている。環状電極は、内周側および外周側を有し、内周側は、環状本体の内周壁の半径の外側にある。
【００６９】
図７Ａおよび図７Ｂに示すビームダンプ１６０は、環状本体を含む。内周壁６４０は、中心開口部を提供する。ブランキングされないビームレット、例えばビームレット１４Ａは、中心開口部を通過することができる。本明細書に記載された他の実施形態と組み合わせることができる一部の実施形態によると、個々のビームレットのための開口部を有する開孔プレートが中心開口部に設けられてもよい。ブランキングされるビームレット、例えばビームレット１４Ｂは、リング状開口部に入る。リング状開口部は、環状本体の内周壁６４０と環状電極６１０の内周側との間に設けられてもよい。環状電極６１０は、内周側と、内周側に対向する外周側６１２と、を含むことができる。環状開口部、すなわち、直径６４２と直径６１８との間に設けられた開口部は、ビームダンプ１６０の長さ、例えば光軸に沿った長さと比較して小さくすることができる。例えば、ビームダンプ１６０または環状本体の長さは、それぞれ、環状開口部の幅の少なくとも５倍（（直径６１８−直径６４２）の０．５倍）とすることができる。
【００７０】
本開示の実施形態によると、「環状」および／または「環帯」という用語は、円形構造を記述することに限定されない。また、形状寸法は、わずかに楕円形、または多角形、例えば、六角形もしくは正方形であってもよい。典型的には、回転対称な形状が有益である場合がある。そのため、円形が最高次数の回転対称を提供するため、円形が好ましいことがある。
【００７１】
一部の実施形態によると、環状本体は、内周壁６４０と、外周壁６２０と、底部壁６３０と、を有する。底部壁は、角形状本体の底部側で環状本体を閉じることができる。本明細書に記載された他の実施形態と組み合わせることができる一部の実施形態によると、底部壁は、傾斜面を有する。傾斜面は、半径方向外向きに傾斜することできる。傾斜させた、すなわち、特に角度がつけられたビームダンプの底部は、後方散乱電子または二次電子を半径方向外側に向けて、後方散乱電子または二次電子がビームダンプから脱出するのを防止するように働くことができる。
【００７２】
図７Ａおよび図７Ｂに示すように、環状電極６１０の外周側６１２は、角形状本体の外周壁の半径を越えて延在する。あるいは、環状本体の外周側は、角形状本体の外周壁の半径まで延在することができる。環状電極は、例えば、ビームダンプの荷電粒子をトラップするために角形状本体の上側を部分的に閉じる。
【００７３】
本明細書に記載された他の実施形態と組み合わせることができる一部の実施形態によると、電極６５０は、角形状本体内部に設けられている。電極は、環状、すなわち、円筒形またはリング状であってもよい。電極は、環状電極の完全にまたは部分的に下方に設けられてもよい。図７Ｂに示すように、電極６５０は、電源６５２に接続されている。電源は、電極を正電位、例えば、約２００Ｖなどの、４００Ｖ以下にバイアスするように構成されている。リング電極などの電極は、電子を偏向させる電界を生成することによって、二次電子または後方散乱電子などの電子を収集するのを支援する。電極６５０の電界は、環状電極６１０および角形状本体の壁によって外部に対してシールドされ得る。
【００７４】
ブランキングされるビームは、角形状本体に閉じ込められ、高エネルギーを有するため、側壁に当たることなく、環状本体の底部に進む。ビームダンプの底部、例えば、傾斜部分６３２を有することができる底部壁６３０において、一次ビームレットは、材料と相互作用し、しばしば０ｅＶよりも大きなエネルギー、および０°〜９０°の角度を有する二次電子および／または後方散乱電子を生成する。ビームダンプの長い狭い形状寸法は、小さな半径方向角度を有する電子だけが脱出することを可能にする。上記したように、傾斜部分６３２は、半径方向角度を広げることができる。ビームダンプから脱出する電子の数を減らすために、電極６５０によって生成された電界が提供されている。形状寸法と電極６５０との組合せは、数ｋＶまでの電子をトラップすることを可能にする。
【００７５】
本明細書に記載された他の実施形態と組み合わせることができる一部の実施形態によると、少なくとも底部壁６３０、または、例えば、底部壁および内周壁６４０は、絶縁支持体によって支持され得る。絶縁支持体は、底部壁、または底部壁および内周壁６４０に衝突するビームレットのビーム電流をそれぞれ測定することを可能にする。ビーム電流の測定は、荷電粒子ビーム装置の位置合わせに特に有益である場合がある。ビームレットは、ビームレット電流が測定されている間、ビームダンプに偏向され得る。ビームレット電流は、ビームレットが、例えば底部壁に衝突するかどうかを判定するために評価され得る。例えば、ビームレットの偏向角は、ビームレットが底部壁に衝突するかどうかを検証することによって調整することができる。したがって、荷電粒子ビーム装置を動作させるための方法は、一次荷電粒子ビームを生成するステップと、一次荷電粒子ビームから第１のビームレットを、および一次荷電粒子ビームから第２のビームレットを生成するステップと、試料上で第１のビームレットおよび第２のビームレットを走査するステップと、第１のブランキング偏向器の第１の偏向場を用いて第１のビームレットを荷電粒子ビームダンプの環状本体に誘導するステップと、を含むことができる。さらに、本方法は、ビームダンプ内の第１のビームレットの電流を測定することによって、ビームダンプ内の第１のビームレットを誘導するように偏向角を較正するステップを含むことができる。
【００７６】
本開示の実施形態によると、ビームダンプの環状形状および／またはビームダンプの上側の開口部の環状形状は、マルチビーム荷電粒子ビーム装置の異なるビームレットのビームダンプへの容易な偏向を可能にする。さらに、環状本体のリング状電極は、マルチビーム用途のための環状本体の電子の収集を容易にする。本明細書に記載された他の実施形態と組み合わせることができる一部の実施形態によると、角形状は、開口部がリング上に設けられた、すなわちリング上に異なるビームレットを提供する開孔装置に特に有益である場合がある。
【００７７】
本明細書に記載された他の実施形態と組み合わせることができる一部の実施形態によると、ディープビームダンプが開孔装置および／またはビームスプリッタの下流に設けられてもよい。例えば、予期しないビームレットおよびブランキングされたビームレットが数ｍｒａｄ（例えば、１０ｍｒａｄ以下）の偏向しか有することがないように、ビームダンプを光軸に沿った位置に設けることができる。さらにまた、加えてまたは代替として、ビームダンプは、予期しないビームレットの共通交差の位置、または予期しないビームレットが互いに接近している位置にあってもよい。
【００７８】
さらなる任意選択の実施形態によると、環状本体の内面は、後方散乱粒子または二次粒子の生成を低減させる材料でコーティングされていてもよい。ビームダンプから脱出する可能性がある粒子の歩留りを低下させることができる。
【００７９】
さらにまた、本明細書に記載されるようなビームダンプは、本明細書に記載されるようなシールドアセンブリを有するブランキング装置と組み合わされてもよい。一部の実施形態によると、ビームダンプはまた、単一の荷電粒子ビーム、例えば、ＳＥＭなどの試料上で走査される単一の荷電粒子ビームを有する単一ビーム用途のために設けられてもよい。
【００８０】
シールドアセンブリおよび／またはビームダンプを有するブランキング装置を含む本開示の一部の実施形態は、電子ビームなどの２つ以上の荷電粒子ビームが１つのカラム内で誘導されるマルチビーム用途またはマルチビームレット用途を指すことができる。複数のビームまたはビームレットを試料上で走査することができる。試料は、例えば、半導体製造中のウエハであってもよい。個々のビームまたはビームレットは、ブランキングされ得る。用途は、電子ビーム検査（ＥＢＩ）、ホットスポット（ＨＳ）検査、限界寸法測定（ＣＤ）用途、欠陥レビュー（ＤＲ）用途、マスク検査、およびリソグラフィのグループからの１つまたは複数の用途を含むことができる。リソグラフィは、信号ビームレットの検出をしなくてもよく、またはそれほど洗練された検出をしなくてもよい。しかしながら、個々のビームレットに対するビームブランキングは、そのような他の用途、例えば、リソグラフィのためにも適用されてもよい。さらにまた、マルチビーム荷電粒子ビーム装置の用途は、生物医学的および生物学的用途を含むことができる。
【００８１】
本開示の実施形態は、荷電粒子ビーム装置を動作させるための方法にさらに関することができる。本方法は、一次荷電粒子ビームを生成するステップと、一次荷電粒子ビームから第１のビームレットを、および一次荷電粒子ビームから第２のビームレットを生成するステップと、試料上で第１のビームレットおよび第２のビームレットを走査するステップと、第１のブランキング偏向器の第１の偏向場を用いて第１のビームレットを荷電粒子ビームダンプ、特に、本開示の実施形態による荷電粒子ビームダンプの環状本体に誘導するステップと、を含む。電子は、ビームダンプの環状本体内の電極６５０に向かって引きつけられ得る。さらに、荷電粒子ビーム装置は、本明細書に記載された態様、詳細、および修正に従ってトラップされ得る。
【００８２】
高スループットの電子ビーム検査（ＥＢＩ）システムは、荷電粒子ビーム装置の単一のカラム内部で複数の一次荷電粒子ビームまたはビームレットを生成、集束、および走査することができる電子顕微鏡などのマルチビーム荷電粒子ビーム装置を利用することができる。サンプルは、集束させた一次荷電粒子ビームレットのアレイによって走査することができ、これによって複数の信号荷電粒子ビームまたはビームレットが生成される。個々の信号荷電粒子ビームレットは、１つまたは複数の検出素子上にマッピングされ得る。例えば、信号荷電粒子ビームレットは、軸上で検出されるか、または図１Ａに示すように軸外で検出され得る。本明細書に記載された実施形態によると、シールドアセンブリ１５５を有するブランキング装置１５０（図１Ａ参照）が設けられている。シールドアセンブリは、ブランキングされるビームレットから隣接するビームレットへのクロストークを低減させる。さらに、偏向器または多重極装置（例えば、図４、図５Ａ、および図５Ｂ参照）は、静電的であってもよく、高速ブランキングのために設計されてもよい。
【００８３】
ビームレットのブランキング、すなわち、複数のビームレットのうちの１つまたは複数のビームレットの個々のブランキングは、図６に例示的に示すように、荷電粒子ビーム装置を動作させるための方法の実施形態に従って提供することができる。一次荷電粒子ビームは、例えば荷電粒子源２０（図１Ａ参照）を用いて生成される（ボックス６０２参照）。複数のビームレットは、開孔装置１２０によって生成される。例えば、ボックス６０４によって示されるように、第１のビームレットは、一次荷電粒子ビームから生成され、第２のビームレットは、一次荷電粒子ビームから生成される。第１のビームレットおよび第２のビームレットは、試料上で走査される（ボックス６０６参照）。例えば、第１のビームレットおよび第２のビームレットは、図１Ａに示す走査偏向器１２によって同期して走査され得る。ビームレットは、ブランキングされ、例えば、ビームダンプに偏向される。ボックス６０８によって示すように、第１のビームレットは、第１のビームレット用の第１のブランキング偏向器の第１の偏向場によって偏向またはブランキングされ得る。第１のブランキング偏向器の第１の偏向場は、第２のビームレットへのクロストークを低減させるためにシールドされる（ボックス６１０参照）。したがって、絶縁体上で走査するビームレットのうちの１つまたは複数をブランキングすることができる。他のビームの走査を行うことができる。
【００８４】
上記したように、一部の実施態様によると、第１の偏向場は、第１のブランキング偏向器に印加された非対称電位によって生成される。
【００８５】
さらに、本開示の実施形態は、以下の実施形態の詳細および態様を含むことができる。そのような実施形態は、本明細書に記載された他の実施形態と組み合わされてもよい。実施形態１：一次荷電粒子ビームを放出するように構成された荷電粒子源と、一次荷電粒子ビームの少なくとも第１のビームレットおよび第２のビームレットを生成するように構成された開口部を有する開孔装置と、ブランキング装置であって、少なくとも第１のビームレット用の第１のブランキング偏向器および第２のビームレット用の第２のブランキング偏向器、ならびに第１のブランキング偏向器を部分的にまたは完全に取り囲む第１のシールド要素を有するシールドアセンブリを含む、ブランキング装置と、を含むマルチビーム荷電粒子ビーム装置。
【００８６】
実施形態２：シールドアセンブリが第１のブランキング偏向器から第２のビームレットへのクロストークを低減させるように構成されている、実施形態１に記載のマルチビーム荷電粒子ビーム装置。
【００８７】
実施形態３：シールドアセンブリが第１のブランキング偏向器の上流に第１のビームレット用の第２のシールド要素をさらに含む、実施形態１から２までのいずれか１つに記載のマルチビーム荷電粒子ビーム装置。
【００８８】
実施形態４：ブランキング装置が第１のウエハ上に設けられ、第２のシールド要素が第２のウエハ上に、または第２のウエハによって設けられている、実施形態３に記載のマルチビーム荷電粒子ビーム装置。
【００８９】
実施形態５：第２のシールド要素が第１の孔径を有し、第１の孔径とは異なる第１の開孔径を有する第１のビームレット用の１つまたは複数の第１の開孔をさらに備える、実施形態３または４に記載のマルチビーム荷電粒子ビーム装置。
【００９０】
実施形態６：シールドアセンブリが第１のブランキング偏向器の下流に第１のビームレット用の第３のシールド要素をさらに含む、実施形態１から５までのいずれか１つに記載のマルチビーム荷電粒子ビーム装置。
【００９１】
実施形態７：第３のシールド要素が第２の孔径を有し、第２の孔径とは異なる第２の開孔径を有する第１のビームレット用の１つまたは複数の第２の開孔をさらに備える、実施形態６に記載のマルチビーム荷電粒子ビーム装置。
【００９２】
実施形態８：少なくとも第１のブランキング偏向器が第１のビームレットを第２のビームレットから分割するための多重極装置を含む、実施形態１から７までのいずれか１つに記載のマルチ荷電粒子ビーム装置。
【００９３】
実施形態９：第１のビームレットと第２のビームレットとの分割が、光軸に垂直な平面内で、試料上の別々のビームレット位置、または第１のビームレットおよび第２のビームレットの仮想放出源のうちの少なくとも１つを提供する、実施形態８に記載のマルチ荷電粒子ビーム。
【００９４】
実施形態１０：第１のビームレットおよび第２のビームレットに別々に作用するように構成された多重極装置をさらに含む、実施形態１から９までのいずれか１つに記載のマルチビーム荷電粒子ビーム装置。
【００９５】
実施形態１１：多重極装置が第３のウエハ上に設けられている、実施形態１０に記載のマルチビーム荷電粒子ビーム装置。
【００９６】
実施形態１２：多重極装置が第１のウエハ上に設けられ、または多重極装置およびビームブランカがｚ方向に重なり合う、実施形態１０に記載のマルチビーム荷電粒子ビーム装置。
【００９７】
実施形態１３：第１のビームレットおよび第２のビームレットに別々に作用するように構成された多重極装置をさらに含み、多重極装置が第３のウエハ上に設けられ、第１のウエハ、第２のウエハ、および第３のウエハが任意の順番で互いの上に積み重ねられている、実施形態４に記載のマルチビーム荷電粒子ビーム装置。
【００９８】
実施形態１４：ブランキング装置が光軸に沿って２５０μｍ以上の長さを有する、実施形態１から１３までのいずれか１つに記載のマルチビーム荷電粒子ビーム装置。
【００９９】
実施形態１５：第１のブランキング偏向器が１００°以上の円弧を有する電極を含む、実施形態１から１４までのいずれか１つに記載のマルチビーム荷電粒子ビーム装置。
【０１００】
実施形態１６：第１のビームレットおよび第２のビームレット用のビームダンプをさらに含む、実施形態１から１５までのいずれか１つに記載のマルチビーム荷電粒子ビーム装置。
【０１０１】
実施形態１７：第１のビームレットによって生成された第１の信号ビームレットを検出するための第１のセンサと、第２のビームレットによって生成された第２の信号ビームレットを検出するための第２のセンサと、を有する検出器アセンブリをさらに含む、実施形態１から１６までのいずれか１つに記載のマルチビーム荷電粒子ビーム装置。
【０１０２】
実施形態１８：シールドアセンブリが、第２のビームレット用の、第２のブランキング偏向器として部分的にまたは完全に取り囲むさらなる第１のシールド要素と、第２のビームレット用の、さらなる第１のブランキング偏向器の上流のさらなる第２のシールド要素と、さらなる第１のブランキング偏向器の下流の第２のビームレット用のさらなる第３のシールド要素と、をさらに含む、実施形態１から１７までのいずれか１つに記載のマルチビーム荷電粒子ビーム装置。
【０１０３】
実施形態１９：一次荷電粒子ビームを生成するステップと、一次荷電粒子ビームから第１のビームレットを、および一次荷電粒子ビームから第２のビームレットを生成するステップと、試料上で第１のビームレットおよび第２のビームレットを走査するステップと、第１のビームレット用の第１のブランキング偏向器の第１の偏向場を用いて第１のビームレットをブランキングするステップと、第２のビームレットへのクロストークを低減させるために第１のブランキング偏向器の第１の偏向場をシールドするステップと、を含む荷電粒子ビーム装置を動作させるための方法。
【０１０４】
実施形態２０：第１の偏向場が第１のブランキング偏向器に印加された非対称電位によって生成される、実施形態１９に記載の方法。
【０１０５】
前述の事項は、本開示の実施形態を対象としているが、本開示の他のおよびさらなる実施形態が本開示の基本的な範囲から逸脱せずに、考案されてもよく、本開示の範囲は、以下の特許請求の範囲によって決定される。
【符号の説明】
【０１０６】
４  光軸
６Ａ  偏向器
６Ｂ  偏向器
７  サンプルステージ
８  サンプル
１０  対物レンズ
１２  走査偏向器
１４  荷電粒子ビーム
１４Ａ  ビームレット
１４Ｂ  ビームレット
１４Ｃ  ビームレット
１５Ａ  ブランカ
１５Ｂ  ブランカ
２０  荷電粒子源
２１  平面
１００  荷電粒子ビーム装置
１０１  カラムハウジング
１１０  コンデンサレンズ装置
１１４  ビーム分離器
１１５  磁気偏向器
１２０  開孔装置、開孔アレイ
１２２  開口部
１３０  多重極装置
１５０  ブランキング装置
１５４  出口側
１５５  シールドアセンブリ
１６０  ビームストップ、ビームダンプ
１７０  検出器アセンブリ
１７２  集束レンズ
１７４  偏向器
１７６  偏向器
２０１  ウエハ
２０２  ウエハ
２０３  ウエハ
２０４  ウエハ
２１１  偏向器
２１４  開孔
２２２  孔
２３１  ブランキング偏向器
２４２  孔
２４４  開孔
２４５  シールド要素
２５５  シールド要素
３３０  ビームスプリッタ
３４４  ビーム制限開孔
４１２  ブランカ電極
４１４  調整電極
５００  多重極装置
５０５  支持装置
５１０  高抵抗層
５２１  電気コンタクト
５２２  電気コンタクト
５３１  円周方向位置
５３２  円周方向位置
５４０  主表面
５５１  導電線
５５３  導電線
６０２  ボックス
６０４  ボックス
６０６  ボックス
６０８  ボックス
６１０  環状電極
６１２  外周側
６１８  直径
６２０  外周壁
６３０  底部壁
６３２  傾斜部分
６４０  内周壁
６４２  直径
６５０  電極
６５２  電源
Ａ  光軸
Ｐ１  電位
Ｐ２  電位
【図１Ａ】
2020024912.tif 000003
【図１Ｂ】
2020024912.tif 000004
【図２】
2020024912.tif 000005
【図３Ａ】
2020024912.tif 000006
【図３Ｂ】
2020024912.tif 000007
【図３Ｃ】
2020024912.tif 000008
【図４】
2020024912.tif 000009
【図５Ａ】
2020024912.tif 000010
【図５Ｂ】
2020024912.tif 000011
【図６】
2020024912.tif 000012
【図７Ａ】
2020024912.tif 000013
【図７Ｂ】
2020024912.tif 000014
【外国語明細書】
2020024912000001.pdf